(57)【要約】      （修正有）【課題】手間やコストを抑えつつ改正後の法律や病院のポリシーに応じた外部施設側に送信可能な院内情報と、実際に外部施設側に記録されている院内情報とを一致させることが可能な情報登録システムを提供する。【解決手段】情報保存サーバのデータベースに記録される複数の情報が項目毎に分けられたときの項目情報と、その項目に対応する情報を情報登録サーバに送信可能か否かを示すマスク情報とを関連付けてマスク表として記録するマスク設定手段と、マスク情報が変更された後のマスク表に基づく変更情報を情報登録サーバに送信する送信手段とを備えて端末を構成し、端末から送信される変更情報に基づいて、複数の情報のうちマスク情報が変更される前に情報保存サーバのデータベースに記録された情報である過去分情報を端末に要求して情報登録サーバのデータベースに記録する、または過去分情報を削除する登録情報管理手段を備えて情報登録サーバを構成する。【選択図】図１
2006059286.tif 000002
【特許請求の範囲】
【請求項１】
情報送信元施設に設けられる端末が備える第１のデータベースに記録される複数の情報が前記端末からネットワークを介して外部施設に設けられる情報登録サーバに送信され、前記情報登録サーバが備える第２のデータベースに前記複数の情報が記録される情報登録システムであって、
前記端末は、
前記複数の情報が項目毎に分けられたときの該項目を示す項目情報と、前記項目に対応する情報を前記情報登録サーバに送信可能か否かを示すマスク情報とを関連付けてマスク表として記録するマスク設定手段と、
前記マスク情報が変更された後の前記マスク表に基づく変更情報を、前記ネットワークを介して前記情報登録サーバに送信する送信手段と、
を備え、
前記情報登録サーバは、
前記端末から送信される前記変更情報に基づいて、前記複数の情報のうち前記マスク情報が変更される前に前記第１のデータベースに記録された情報である過去分情報を前記端末に要求して前記第２のデータベースに記録する、または、前記第２のデータベースに記録される前記過去分情報を削除する登録情報管理手段、
を備えることを特徴とする情報登録システム。
【請求項２】
請求項１に記載の情報登録システムであって、
前記変更情報は、前記マスク情報が変更された後の前記マスク表であり、
前記情報登録サーバは、前記マスク情報が変更される前の前記マスク表を旧マスク表として記録すると共に、前記マスク情報が更新された後の前記マスク表を新マスク表として記録する記録手段を備え、
前記登録情報管理手段は、前記旧マスク表と前記新マスク表とを比較し、送信不可能から送信可能に変更された送信可能マスク情報が前記新マスク表にあると、前記送信可能マスク情報に対応する前記過去分情報を前記端末に要求して前記第２のデータベースに記録し、送信可能から送信不可能に変更された送信不可能マスク情報が前記新マスク表にあると、前記送信不可能マスク情報に対応する前記過去分情報を前記第２のデータベースから削除することを特徴とする情報登録システム。
【請求項３】
請求項１に記載の情報登録システムであって、
前記端末は、前記マスク情報が変更される前の前記マスク表を旧マスク表として記録すると共に、前記マスク情報が変更された後の前記マスク表を新マスク表として記録する記録手段を備え、
前記送信手段は、前記旧マスク表と前記新マスク表とを比較し、送信不可能から送信可能に変更された送信可能マスク情報が前記新マスク表にあると、前記送信可能マスク情報に対応する前記過去分情報及び該過去分情報を前記第２のデータベースに記録させる旨の追加指示を前記情報登録サーバに送信し、送信可能から送信不可能に変更された送信不可能マスク情報が前記新マスク表にあると、前記送信不可能マスク情報に対応する前記過去分情報を前記第２のデータベースから削除させる旨の削除指示を前記情報登録サーバに送信し、
前記登録情報管理手段は、前記端末から前記追加指示が送信されると、前記第２のデータベースに前記送信可能マスク情報に対応する前記過去分情報を記録し、前記端末から前記削除指示が送信されると、前記送信不可能マスク情報に対応する前記過去分情報を前記第２のデータベースから削除することを特徴とする情報登録システム。
【請求項４】
請求項１に記載の情報登録システムであって、
前記更新情報は、前記過去分情報及び該過去分情報を前記第２のデータベースに記録させる旨の追加指示、または、前記第２のデータベースに記録される前記過去分情報を削除させる旨の削除指示であり、
前記登録情報管理手段は、前記端末から前記追加指示が送信されると、前記第２のデータベースに前記過去分情報を記録し、前記端末から前記削除指示が送信されると、前記第２のデータベースに記録される前記過去分情報を削除することを特徴とする情報登録システム。
【請求項５】
外部施設に設けられ、情報送信元施設に設けられる端末が備える第１のデータベースに記録される複数の情報を前記端末からネットワークを介して受信すると共に、自身が備える第２のデータベースに前記複数の情報を記録する情報登録サーバであって、
前記複数の情報が項目毎に分けられたときの該項目を示す項目情報と、前記項目に対応する情報が前記情報登録サーバに送信可能か否かを示すマスク情報とが関連付けられて記録されるマスク表において、前記マスク情報が変更されると、前記マスク情報が変更された後の前記マスク表に基づく変更情報に基づいて、前記複数の情報のうち前記マスク情報が変更される前に前記第１のデータベースに記録された情報である過去分情報を前記端末に要求して前記第２のデータベースに記録する、または、前記第２のデータベースに記録される前記過去分情報を削除する登録情報管理手段、
を備えることを特徴とする情報登録サーバ。
【請求項６】
請求項５に記載の情報登録サーバであって、
前記変更情報は、前記マスク情報が変更された後の前記マスク表であり、
前記マスク情報が変更される前の前記マスク表を旧マスク表として記録すると共に、前記マスク情報が更新された後の前記マスク表を新マスク表として記録する記録手段を備え、
前記登録情報管理手段は、前記旧マスク表と前記新マスク表とを比較し、送信不可能から送信可能に変更された送信可能マスク情報が前記新マスク表にあると、前記送信可能マスク情報に対応する前記過去分情報を前記端末に要求して前記第２のデータベースに記録し、送信可能から送信不可能に変更された送信不可能マスク情報が前記新マスク表にあると、前記送信不可能マスク情報に対応する前記過去分情報を前記第２のデータベースから削除することを特徴とする情報登録サーバ。
【請求項７】
請求項５に記載の情報登録サーバであって、
前記端末は、前記マスク情報が変更される前の前記マスク表を示す旧マスク表と、前記マスク情報が変更された後の前記マスク表を示す新マスク表とを比較し、送信不可能から送信可能に変更された送信可能マスク情報が前記新マスク表にあると、前記送信可能マスク情報に対応する前記過去分情報及び該過去分情報を前記第２のデータベースに記録させる旨の追加指示を前記情報登録サーバに送信し、送信可能から送信不可能に変更された送信不可能マスク情報が前記新マスク表にあると、前記送信不可能マスク情報に対応する前記過去分情報を前記第２のデータベースから削除させる旨の削除指示を前記情報登録サーバに送信し、
前記登録情報管理手段は、前記端末から前記追加指示が送信されると、前記第２のデータベースに前記送信可能マスク情報に対応する前記過去分情報を記録し、前記端末から前記削除指示が送信されると、前記第２のデータベースに記録される前記送信不可能マスク情報に対応する前記過去分情報を削除することを特徴とする情報登録サーバ。
【請求項８】
請求項５に記載の情報登録サーバであって、
前記更新情報は、前記過去分情報及び該過去分情報を前記第２のデータベースに記録させる旨の追加指示、または、前記第２のデータベースに記録される前記過去分情報を削除させる旨の削除指示であり、
前記登録情報管理手段は、前記端末から前記追加指示が送信されると、前記第２のデータベースに前記過去分情報を記録し、前記端末から前記削除指示が送信されると、前記第２のデータベースに記録される前記過去分情報を削除することを特徴とする情報登録サーバ。
【請求項９】
情報送信元施設に設けられ、自身が備える第１のデータベースに記録される複数の情報をネットワークを介して外部施設に設けられる情報登録サーバに送信し、該情報登録サーバが備える第２のデータベースに前記複数の情報を記録させる端末であって、
前記複数の情報が項目毎に分けられたときの該項目を示す項目情報と、前記項目に対応する情報が前記情報登録サーバに送信可能か否かを示すマスク情報とを関連付けてマスク表として記録するマスク設定手段と、
前記マスク情報が変更された後の前記マスク表に基づく変更情報を、前記ネットワークを介して前記情報登録サーバに送信する送信手段と、
を備え、
前記情報登録サーバは、前記端末から送信される前記変更情報に基づいて、前記複数の情報のうち前記マスク情報が変更される前に前記第１のデータベースに記録された情報である過去分情報を前記第２のデータベースに記録する、または、前記第２のデータベースに記録される前記過去分情報を削除することを特徴とする端末。
【請求項１０】
請求項９に記載の端末であって、
前記変更情報は、前記マスク情報が変更された後の前記マスク表であり、
前記情報登録サーバは、前記マスク情報が変更される前の前記マスク表を示す旧マスク表と、前記マスク情報が更新された後の前記マスク表を示す新マスク表とを比較し、送信不可能から送信可能に変更された送信可能マスク情報が前記新マスク表にあると、前記送信可能マスク情報に対応する前記過去分情報を前記端末に要求して前記第２のデータベースに記録し、送信可能から送信不可能に変更された送信不可能マスク情報が前記新マスク表にあると、前記送信不可能マスク情報に対応する前記過去分情報を前記第２のデータベースから削除することを特徴とする端末。
【請求項１１】
請求項９に記載の端末であって、
前記マスク情報が変更される前の前記マスク表を旧マスク表として記録すると共に、前記マスク情報が変更された後の前記マスク表を新マスク表として記録する記録手段を備え、
前記送信手段は、前記旧マスク表と前記新マスク表とを比較し、送信不可能から送信可能に変更された送信可能マスク情報が前記新マスク表にあると、前記送信可能マスク情報に対応する前記過去分情報及び該過去分情報を前記第２のデータベースに記録させる旨の追加指示を前記情報登録サーバに送信し、送信可能から送信不可能に変更された送信不可能マスク情報が前記新マスク表にあると、前記送信不可能マスク情報に対応する前記過去分情報を前記第２のデータベースから削除させる旨の削除指示を前記情報登録サーバに送信し、
前記情報登録サーバは、前記端末から前記追加指示が送信されると、前記第２のデータベースに前記送信可能マスク情報に対応する前記過去分情報を記録し、前記端末から前記削除指示が送信されると、前記送信不可能マスク情報に対応する過去分情報を前記第２のデータベースから削除することを特徴とする端末。
【請求項１２】
請求項９に記載の端末であって、
前記更新情報は、前記過去分情報及び該過去分情報を前記第２のデータベースに記録させる旨の追加指示、または、前記第２のデータベースに記録される前記過去分情報を削除させる旨の削除指示であり、
前記情報登録サーバは、前記端末から前記追加指示が送信されると、前記第２のデータベースに前記過去分情報を記録し、前記端末から前記削除指示が送信されると、前記第２のデータベースに記録される前記過去分情報を削除することを特徴とする端末。
【請求項１３】
情報送信元施設に設けられる端末が備える第１のデータベースに記録される複数の情報をネットワークを介して外部施設に設けられる情報登録サーバに送信し、前記情報登録サーバが備える第２のデータベースに前記複数の情報を記録する情報登録方法であって、
前記複数の情報が項目毎に分けられたときの該項目を示す項目情報と、前記項目に対応する情報が前記情報登録サーバに送信可能か否かを示すマスク情報とを関連付けてマスク表として記録し、
前記マスク情報が変更された後の前記マスク表に基づく変更情報を、前記端末から前記ネットワークを介して前記情報登録サーバに送信し、
前記端末から送信される前記変更情報に基づいて、前記複数の情報のうち前記マスク情報が変更される前に前記第１のデータベースに記録された情報である過去分情報を前記端末に要求して前記第２のデータベースに記録する、または、前記第２のデータベースに記録される前記過去分情報を削除する、
ことを特徴とする情報登録方法。
【請求項１４】
情報送信元施設に設けられる端末が備える第１のデータベースに記録される複数の情報をネットワークを介して外部施設に設けられる情報登録サーバに送信し、前記情報登録サーバが備える第２のデータベースに前記複数の情報を記録するためにコンピュータを、
前記複数の情報が項目毎に分けられたときの該項目を示す項目情報と、前記項目に対応する情報が前記情報登録サーバに送信可能か否かを示すマスク情報とを関連付けてマスク表として記録するマスク設定手段、
前記マスク情報が変更された後の前記マスク表に基づく変更情報を、前記端末から前記ネットワークを介して前記情報登録サーバに送信する送信手段、
前記端末から送信される前記変更情報に基づいて、前記複数の情報のうち前記マスク情報が変更される前に前記第１のデータベースに記録された情報である過去分情報を前記端末に要求して前記第２のデータベースに記録する、または、前記第２のデータベースに記録される前記過去分情報を削除する登録情報管理手段、
として機能させるための情報登録プログラム。
【発明の詳細な説明】
【技術分野】
【０００１】
本発明は、情報送信元施設に設けられる端末と外部施設に設けられる情報登録サーバとがネットワークを介して接続される情報登録システムに関し、特には、情報登録サーバが備えるデータベースに記録される情報の管理方法に関する。
【背景技術】
【０００２】
従来より、病院に設けられる端末が医療機器の利用状況などを示す院内情報を医療機器のレンタルサービスなどの医療サービスを行う外部施設に設けられる情報登録サーバにネットワークを介して送信し、情報登録サーバなどがその院内情報を解析して病院に対して医療サービスを行ったり、その医療サービスに対する料金を課金したりする情報登録システムは存在する（例えば、特許文献１参照）。
【０００３】
このように、外部施設が院内情報に基づいて医療サービスや医療サービスに対する料金の課金を行う場合では、外部施設がより良い医療サービスを病院に提供するために、様々な院内情報が情報登録サーバに記録されていることが望ましい。
【０００４】
ところで、医療に関する法律が改正されたり、病院のポリシーが変更されたりすると、院内情報の一部が情報登録サーバに送信できなくなる場合や新たな院内情報を情報登録サーバに送信できるようになる場合がある。
【０００５】
院内情報の一部が情報登録サーバに送信できなくなる場合では、情報登録サーバに送信できなくなった院内情報を除いたその他の院内情報を情報登録サーバに送信し、改正後の法律に適合するようにしたり、病院に信用され続けるサービスを提供する必要がある。
【０００６】
また、新たな院内情報が情報登録サーバに送信できるようになる場合では、その新たな院内情報を付加して院内情報を情報登録サーバに送信することができるので、外部施設は病院に対してより良い医療サービスを提供することができるようになる。
【０００７】
このように、改正後の法律に適合するようにしたり、より良い医療サービスを提供し続けるためには、改正後の法律や病院のポリシーに応じた情報登録サーバに送信可能な院内情報と、実際に情報登録サーバに記録されている院内情報とが一致している必要がある。
【０００８】
そこで、従来では、病院側から外部施設側に送信可能な情報を再設定し、病院側に記録される院内情報と外部施設側に記録される院内情報とを一致させるために、病院側や外部施設側に共通に備えられる情報登録システム全体を入れ替えることが行われていた。
【特許文献１】再公表ＷＯ０２／０１７１７１号（第１４〜２５頁、第１〜９図）
【発明の開示】
【発明が解決しようとする課題】
【０００９】
しかしながら、病院側や外部施設側に共通に備えられる情報登録システム全体を入れ替えることは、多くの手間やコストがかかるという問題があった。
そこで、本発明では、手間やコストを抑えつつ、改正後の法律や病院のポリシーに応じた外部施設側に送信可能な院内情報と、実際に外部施設側に記録されている院内情報とを一致させることが可能な情報登録システムを提供することを目的とする。
【課題を解決するための手段】
【００１０】
上記の課題を解決するために本発明では、以下のような構成を採用した。
すなわち、本発明の情報登録システムは、情報送信元施設に設けられる端末が備える第１のデータベースに記録される複数の情報が前記端末からネットワークを介して外部施設に設けられる情報登録サーバに送信され、前記情報登録サーバが備える第２のデータベースに前記複数の情報が記録される情報登録システムであって、前記端末は、前記複数の情報が項目毎に分けられたときの該項目を示す項目情報と、前記項目に対応する情報を前記情報登録サーバに送信可能か否かを示すマスク情報とを関連付けてマスク表として記録するマスク設定手段と、前記マスク情報が変更された後の前記マスク表に基づく変更情報を、前記ネットワークを介して前記情報登録サーバに送信する送信手段とを備え、前記情報登録サーバは、前記端末から送信される前記変更情報に基づいて、前記複数の情報のうち前記マスク情報が変更される前に前記第１のデータベースに記録された情報である過去分情報を前記端末に要求して前記第２のデータベースに記録する、または、前記第２のデータベースに記録される前記過去分情報を削除する登録情報管理手段を備えることを特徴とする。
【００１１】
また、上記情報登録システムにおいて、前記変更情報は、前記マスク情報が変更された後の前記マスク表であり、前記情報登録サーバは、前記マスク情報が変更される前の前記マスク表を旧マスク表として記録すると共に、前記マスク情報が更新された後の前記マスク表を新マスク表として記録する記録手段を備え、前記登録情報管理手段は、前記旧マスク表と前記新マスク表とを比較し、送信不可能から送信可能に変更された送信可能マスク情報が前記新マスク表にあると、前記送信可能マスク情報に対応する前記過去分情報を前記端末に要求して前記第２のデータベースに記録し、送信可能から送信不可能に変更された送信不可能マスク情報が前記新マスク表にあると、前記送信不可能マスク情報に対応する前記過去分情報を前記第２のデータベースから削除するように構成してもよい。
【００１２】
また、上記情報登録システムにおいて、前記端末は、前記マスク情報が変更される前の前記マスク表を旧マスク表として記録すると共に、前記マスク情報が変更された後の前記マスク表を新マスク表として記録する記録手段を備え、前記送信手段は、前記旧マスク表と前記新マスク表とを比較し、送信不可能から送信可能に変更された送信可能マスク情報が前記新マスク表にあると、前記送信可能マスク情報に対応する前記過去分情報及び該過去分情報を前記第２のデータベースに記録させる旨の追加指示を前記情報登録サーバに送信し、送信可能から送信不可能に変更された送信不可能マスク情報が前記新マスク表にあると、前記送信不可能マスク情報に対応する前記過去分情報を前記第２のデータベースから削除させる旨の削除指示を前記情報登録サーバに送信し、前記登録情報管理手段は、前記端末から前記追加指示が送信されると、前記第２のデータベースに前記送信可能マスク情報に対応する前記過去分情報を記録し、前記端末から前記削除指示が送信されると、前記送信不可能マスク情報に対応する前記過去分情報を前記第２のデータベースから削除するように構成してもよい。
【００１３】
また、上記情報登録システムにおいて、前記更新情報は、前記過去分情報及び該過去分情報を前記第２のデータベースに記録させる旨の追加指示、または、前記第２のデータベースに記録される前記過去分情報を削除させる旨の削除指示であり、前記登録情報管理手段は、前記端末から前記追加指示が送信されると、前記第２のデータベースに前記過去分情報を記録し、前記端末から前記削除指示が送信されると、前記第２のデータベースに記録される前記過去分情報を削除するように構成してもよい。
【００１４】
また、本発明の情報登録サーバは、外部施設に設けられ、情報送信元施設に設けられる端末が備える第１のデータベースに記録される複数の情報を前記端末からネットワークを介して受信すると共に、自身が備える第２のデータベースに前記複数の情報を記録する情報登録サーバであって、前記複数の情報が項目毎に分けられたときの該項目を示す項目情報と、前記項目に対応する情報が前記情報登録サーバに送信可能か否かを示すマスク情報とが関連付けられて記録されるマスク表において、前記マスク情報が変更されると、前記マスク情報が変更された後の前記マスク表に基づく変更情報に基づいて、前記複数の情報のうち前記マスク情報が変更される前に前記第１のデータベースに記録された情報である過去分情報を前記端末に要求して前記第２のデータベースに記録する、または、前記第２のデータベースに記録される前記過去分情報を削除する登録情報管理手段を備えることを特徴とする。
【００１５】
また、上記情報登録サーバにおいて、前記変更情報は、前記マスク情報が変更された後の前記マスク表であり、前記マスク情報が変更される前の前記マスク表を旧マスク表として記録すると共に、前記マスク情報が更新された後の前記マスク表を新マスク表として記録する記録手段を備え、前記登録情報管理手段は、前記旧マスク表と前記新マスク表とを比較し、送信不可能から送信可能に変更された送信可能マスク情報が前記新マスク表にあると、前記送信可能マスク情報に対応する前記過去分情報を前記端末に要求して前記第２のデータベースに記録し、送信可能から送信不可能に変更された送信不可能マスク情報が前記新マスク表にあると、前記送信不可能マスク情報に対応する前記過去分情報を前記第２のデータベースから削除するように構成してもよい。
【００１６】
また、上記情報登録サーバにおいて、前記端末は、前記マスク情報が変更される前の前記マスク表を示す旧マスク表と、前記マスク情報が変更された後の前記マスク表を示す新マスク表とを比較し、送信不可能から送信可能に変更された送信可能マスク情報が前記新マスク表にあると、前記送信可能マスク情報に対応する前記過去分情報及び該過去分情報を前記第２のデータベースに記録させる旨の追加指示を前記情報登録サーバに送信し、送信可能から送信不可能に変更された送信不可能マスク情報が前記新マスク表にあると、前記送信不可能マスク情報に対応する前記過去分情報を前記第２のデータベースから削除させる旨の削除指示を前記情報登録サーバに送信し、前記登録情報管理手段は、前記端末から前記追加指示が送信されると、前記第２のデータベースに前記送信可能マスク情報に対応する前記過去分情報を記録し、前記端末から前記削除指示が送信されると、前記第２のデータベースに記録される前記送信不可能マスク情報に対応する前記過去分情報を削除するように構成してもよい。
【００１７】
また、上記情報登録サーバにおいて、前記更新情報は、前記過去分情報及び該過去分情報を前記第２のデータベースに記録させる旨の追加指示、または、前記第２のデータベースに記録される前記過去分情報を削除させる旨の削除指示であり、前記登録情報管理手段は、前記端末から前記追加指示が送信されると、前記第２のデータベースに前記過去分情報を記録し、前記端末から前記削除指示が送信されると、前記第２のデータベースに記録される前記過去分情報を削除するように構成してもよい。
【００１８】
また、本発明の端末は、情報送信元施設に設けられ、自身が備える第１のデータベースに記録される複数の情報をネットワークを介して外部施設に設けられる情報登録サーバに送信し、該情報登録サーバが備える第２のデータベースに前記複数の情報を記録させる端末であって、前記複数の情報が項目毎に分けられたときの該項目を示す項目情報と、前記項目に対応する情報が前記情報登録サーバに送信可能か否かを示すマスク情報とを関連付けてマスク表として記録するマスク設定手段と、前記マスク情報が変更された後の前記マスク表に基づく変更情報を、前記ネットワークを介して前記情報登録サーバに送信する送信手段とを備え、前記情報登録サーバは、前記端末から送信される前記変更情報に基づいて、前記複数の情報のうち前記マスク情報が変更される前に前記第１のデータベースに記録された情報である過去分情報を前記第２のデータベースに記録する、または、前記第２のデータベースに記録される前記過去分情報を削除することを特徴とする。
【００１９】
また、上記端末において、前記変更情報は、前記マスク情報が変更された後の前記マスク表であり、前記情報登録サーバは、前記マスク情報が変更される前の前記マスク表を示す旧マスク表と、前記マスク情報が更新された後の前記マスク表を示す新マスク表とを比較し、送信不可能から送信可能に変更された送信可能マスク情報が前記新マスク表にあると、前記送信可能マスク情報に対応する前記過去分情報を前記端末に要求して前記第２のデータベースに記録し、送信可能から送信不可能に変更された送信不可能マスク情報が前記新マスク表にあると、前記送信不可能マスク情報に対応する前記過去分情報を前記第２のデータベースから削除するように構成してもよい。
【００２０】
また、上記端末において、前記マスク情報が変更される前の前記マスク表を旧マスク表として記録すると共に、前記マスク情報が変更された後の前記マスク表を新マスク表として記録する記録手段を備え、前記送信手段は、前記旧マスク表と前記新マスク表とを比較し、送信不可能から送信可能に変更された送信可能マスク情報が前記新マスク表にあると、前記送信可能マスク情報に対応する前記過去分情報及び該過去分情報を前記第２のデータベースに記録させる旨の追加指示を前記情報登録サーバに送信し、送信可能から送信不可能に変更された送信不可能マスク情報が前記新マスク表にあると、前記送信不可能マスク情報に対応する前記過去分情報を前記第２のデータベースから削除させる旨の削除指示を前記情報登録サーバに送信し、前記情報登録サーバは、前記端末から前記追加指示が送信されると、前記第２のデータベースに前記送信可能マスク情報に対応する前記過去分情報を記録し、前記端末から前記削除指示が送信されると、前記送信不可能マスク情報に対応する過去分情報を前記第２のデータベースから削除するように構成してもよい。
【００２１】
また、上記端末において、前記更新情報は、前記過去分情報及び該過去分情報を前記第２のデータベースに記録させる旨の追加指示、または、前記第２のデータベースに記録される前記過去分情報を削除させる旨の削除指示であり、前記情報登録サーバは、前記端末から前記追加指示が送信されると、前記第２のデータベースに前記過去分情報を記録し、前記端末から前記削除指示が送信されると、前記第２のデータベースに記録される前記過去分情報を削除するように構成してもよい。
【００２２】
また、本発明の情報登録方法は、情報送信元施設に設けられる端末が備える第１のデータベースに記録される複数の情報をネットワークを介して外部施設に設けられる情報登録サーバに送信し、前記情報登録サーバが備える第２のデータベースに前記複数の情報を記録する情報登録方法であって、前記複数の情報が項目毎に分けられたときの該項目を示す項目情報と、前記項目に対応する情報が前記情報登録サーバに送信可能か否かを示すマスク情報とを関連付けてマスク表として記録し、前記マスク情報が変更された後の前記マスク表に基づく変更情報を、前記端末から前記ネットワークを介して前記情報登録サーバに送信し、前記端末から送信される前記変更情報に基づいて、前記複数の情報のうち前記マスク情報が変更される前に前記第１のデータベースに記録された情報である過去分情報を前記端末に要求して前記第２のデータベースに記録する、または、前記第２のデータベースに記録される前記過去分情報を削除することを特徴とする。
【００２３】
また、本発明の情報登録プログラムは、情報送信元施設に設けられる端末が備える第１のデータベースに記録される複数の情報をネットワークを介して外部施設に設けられる情報登録サーバに送信し、前記情報登録サーバが備える第２のデータベースに前記複数の情報を記録するためにコンピュータを、前記複数の情報が項目毎に分けられたときの該項目を示す項目情報と、前記項目に対応する情報が前記情報登録サーバに送信可能か否かを示すマスク情報とを関連付けてマスク表として記録するマスク設定手段、前記マスク情報が変更された後の前記マスク表に基づく変更情報を、前記端末から前記ネットワークを介して前記情報登録サーバに送信する送信手段、前記端末から送信される前記変更情報に基づいて、前記複数の情報のうち前記マスク情報が変更される前に前記第１のデータベースに記録された情報である過去分情報を前記端末に要求して前記第２のデータベースに記録する、または、前記第２のデータベースに記録される前記過去分情報を削除する登録情報管理手段として機能させることを特徴とする。
【発明の効果】
【００２４】
本発明によれば、マスク情報が変更されると、過去分情報が情報登録サーバが備える第２のデータベースに記録されるか、または、第２のデータベースに記録される過去分情報が削除されるかのどちらか一方になるので、端末から情報登録サーバに送信可能な情報と第２のデータベースに記録されている情報とを常に一致させることができる。
【００２５】
そして、上記端末を病院側に設け、上記情報登録サーバを医療サービスを行う外部施設に設けることにより、医療に関する法律が改正されたり、病院の院内情報を院外に保存するとそのポリシーが変更されたりしても、端末から情報登録サーバに送信可能な院内情報と情報登録サーバが備えるデータベースに記録されている院内情報とを常に一致させることができるので、データベースに記録されている院内情報を解析して病院に提供する医療サービスなどを正しく行うことができる。
【００２６】
また、情報登録システム全体を入れ替える必要がなくなり、情報登録システムを構築する際の手間やコストを抑えることができる。
【発明を実施するための最良の形態】
【００２７】
以下、本発明の実施形態を図面を用いて説明する。
図１は、本発明の実施形態の情報登録システムを模式的に示す図である。
図１に示す情報登録システム１０は、情報送信元施設１１に設けられる端末１２と外部施設１３に設けられる情報登録サーバ１４とがインターネットなどのネットワークを介して接続され構成されている。
【００２８】
上記端末１２は、ＬＡＮ（Ｌｏｃａｌ  Ａｒｅａ  Ｎｅｔｗｏｒｋ）などのネットワークを介して情報送信元施設１１に設けられる情報保存サーバ１５と接続されている。
上記情報保存サーバ１５は、データベース（第１のデータベース）を備え、そのデータベースに複数の情報を記録し、その複数の情報のうち端末１２からの要求に基づく情報を端末１２に送信する。なお、情報保存サーバ１５が備えるデータベースは、端末１２に備えられていてもよい。
【００２９】
また、端末１２は、情報保存サーバ１５のデータベースに記録される複数の情報が項目毎に分けられたときのその項目を示す項目情報と、その項目に対応する情報を情報登録サーバ１４に送信可能か否かを示すマスク情報とを関連付けてマスク表として記録するマスク設定手段１６と、マスク情報が変更された後のマスク表に基づく変更情報を情報登録サーバ１４に送信する送信手段１７とを備えて構成されている。
【００３０】
上記送信手段１７は、マスク設定手段１６で設定されたマスク表に基づいて、情報登録サーバ１４に送信可能な情報を確認し、その確認した情報を情報保存サーバ１５のデータベースから抽出して情報登録サーバ１４に送信する。
【００３１】
上記情報登録サーバ１４は、端末１２から送信される情報を記録するデータベース管理端末１８とＬＡＮなどのネットワークを介して接続されている。なお、データベース管理端末１８は、データベース（第２のデータベース）を備え、そのデータベースに情報登録サーバ１４から送信される情報を記録する。また、データベース管理端末１８は、例えば、パーソナルコンピュータなどにより構成されてもよい。また、データベース管理端末１８が備えるデータベースは、情報登録サーバ１４に備えられていてもよい。
【００３２】
また、情報登録サーバ１４は、端末１２から送信される変更情報に基づいて、複数の情報のうちマスク情報が変更される前に情報保存サーバ１５のデータベースに記録された情報である過去分情報を端末１２に要求してデータベース管理端末１８のデータベースに記録させる、または、データベース管理端末１８のデータベースにすでに記録される過去分情報を削除させる登録情報管理手段１９を備えて構成されている。
【００３３】
なお、上記マスク設定１６及び上記通信手段１７は、例えば、端末１２が備えるＲＡＭ（Ｒａｎｄｏｍ  Ａｃｃｅｓｓ  Ｍｅｍｏｒｙ）やＲＯＭ（Ｒｅａｄ Ｏｎｌｙ Ｍｅｍｏｒｙ）などに記録されるプログラムがＣＰＵ（Ｃｅｎｔｒａｌ  Ｐｒｏｃｅｓｓｉｎｇ  Ｕｎｉｔ）などによって実行されることによって実現されてもよい。
【００３４】
また、上記登録情報管理手段１９は、例えば、情報登録サーバ１４が備えるＲＡＭやＲＯＭなどに記録されるプログラムがＣＰＵなどによって実行されることによって実現されてもよい。
【００３５】
そして、情報登録システム１０は、マスク情報が変更されると、過去分情報がデータベース管理端末１８のデータベースに記録されるか、または、データベース管理端末１８のデータベースにすでに記録される過去分情報が削除される。
【００３６】
これにより、端末１２から情報登録サーバ１４に送信可能な情報とデータベース管理端末１８のデータベースに記録される情報とを常に一致させることができる。
＜第１実施形態＞
次に、情報登録システム１０を、病院に設けられる端末と医療サービスを行う外部施設に設けられる情報登録サーバとがネットワークを介して接続され構成される情報登録システムに適用する場合を考える。
【００３７】
図２は、情報登録システム１０を、病院の端末と外部施設の情報登録サーバとがネットワークを介して接続され構成される情報登録システムに適用した場合の実施形態を示す図である。なお、図１に示す構成と同じ構成には同じ符号を付している。
【００３８】
図２に示す情報登録システム２０は、病院２１に備えられる端末１２と、病院２１に対して医療サービスを行う外部施設２２に設けられる情報登録サーバ１４とがネットワーク２３を介して接続され構成されている。
【００３９】
上記端末１２は、情報保存サーバ１５とネットワーク２４を介して接続されている。そして、情報保存サーバ１５は、内視鏡検査機器２５や内視鏡検査機器２６を備えるＰＣ（Ｐｅｒｓｏｎａｌ Ｃｏｍｐｕｔｅｒ）クライアント２７とネットワーク２４を介して接続されている。そして、内視鏡検査機器２５や内視鏡検査機器２６で得られる検査結果を示す院内情報は、内視鏡検査機器２５やＰＣクライアント２７からネットワーク２４を介して情報保存サーバ１５に送信され、情報保存サーバ１５が備えるデータベースに記録される。
【００４０】
また、端末１２は、マスク設定手段１６と、送信手段１７とを備えて構成されている。
上記マスク設定手段１６は、情報保存サーバ１５のデータベースに記録される複数の情報が項目毎に分けられたときのその項目を示す項目情報と、その項目に対応する情報を情報登録サーバ１４に送信可能か否かを示すマスク情報とを関連付けてマスク表２８として端末１２に記録する。
【００４１】
上記送信手段１７は、マスク表２８に基づいて、院内情報を情報保存サーバ１５のデータベースから抽出して情報登録サーバ１４に送信する。
また、送信手段１７は、マスク情報が変更されると、マスク情報が変更された後のマスク表２８を情報登録サーバ１４に送信する。
【００４２】
上記情報登録サーバ１４は、端末１２から送信される院内情報を記録するデータベース管理端末１８とネットワーク２９を介して接続されている。そして、データベース管理端末１８は、データベースを備え、そのデータベースに情報登録サーバ１４から送信される院内情報を記録する。
【００４３】
また、情報登録サーバ１４は、マスク情報が変更される前のマスク表２８を旧マスク表３０として記録すると共に、マスク情報が変更された後のマスク表２８を新マスク表３１として記録し、端末１２から送信される院内情報をデータベース管理端末１８に送信する登録情報管理手段１９を備えて構成されている。
【００４４】
図３は、端末１２の動作を説明するためのフローチャートである。
まず、ステップＡ１において、端末１２は、ユーザの操作に基づいて、各項目と、項目に対応する院内情報を情報登録サーバ１４に送信すべきか否かを示すマスク情報とを関連付けてマスク表を設定する（マスク設定）。
【００４５】
ここで、図４は、端末１２が備えるディスプレイなどに表示されるマスク設定ＧＵＩ（Ｇｒａｐｈｉｃａｌ  Ｕｓｅｒ  Ｉｎｔｅｒｆａｃｅ）画面の一例を示す図である。
図４に示すように、マスク設定ＧＵＩ画面４０は、項目が表示される項目表示エリア４１と、各項目にそれぞれ対応するチェックボックスが表示されるチェックボックス表示エリア４２とで構成されている。
【００４６】
図４に示す例では、「患者名」及び「体重」にそれぞれ対応するチェックボックスにチェックが入れられている。なお、設定完了ボタンなどをマスク設定ＧＵＩ画面４０に設け、その設定終了ボタンなどが押されるとマスク設定が終了するように構成してもよい。
【００４７】
そして、ユーザによりチェックボックスにチェックが入れられると、そのチェックボックスに対応する項目の院内情報が情報登録サーバ１４に送信不可能になる。すなわち、図４に示す例では、「患者名」及び「体重」に対応するそれぞれのチェックボックスにチェックが入っているため、「患者名」及び「体重」に対応する院内情報が情報登録サーバ１４に送信不可能になっている。また、チェックボックスにチェックが入っていない、それ以外の「検査医」、「検査種別」、及び「検査日」に対応する院内情報は情報登録サーバ１４に送信可能になっている。また、法律が改正されたり、病院２１のポリシーが変更され、「検査医」の項目に対応する院内情報が情報登録サーバ１４に送信不可能になった場合、ユーザは、「検査医」の項目に対応するチェックボックスにチェックを入れる。
【００４８】
図５は、端末１２に記録されるマスク表２８の一例を示す図である。なお、図５に示すマスク表２８は、図４に示すマスク設定ＧＵＩ画面４０の各チェックボックスのマスク設定に対応しているものとする。
【００４９】
図５に示すように、マスク表２８は、多数のマスク情報レコード５０（５０−１、５０−２、５０−３、５０−４、５０−５、・・・）が格納されて構成されている。各マスク情報レコード５０は、項目情報が記録される項目情報領域５１と、項目情報に対応する院内情報を情報登録サーバ１４に送信すべきか否かを示すマスク情報が記録されるマスク情報領域５２とを備えている。
【００５０】
図５の例では、マスク情報レコード５０−３の項目情報領域５１に「検査医」、マスク情報領域５２に「なし」と記録されている。なお、図５において、マスク情報領域５２に記録される「あり」は、情報登録サーバ１４への院内情報の送信禁止を示している。また、図５において、マスク情報領域５２に記録される「なし」は、情報登録サーバ１４への院内情報の送信可能を示している。
【００５１】
次に図３のステップＡ２において、端末１２は、ユーザの操作によりマスク設定が終了すると、そのマスク設定が終了したマスク表２８を、今まで使用されていたマスク表２８に対して上書き保存する。
【００５２】
そして、端末１２は、その上書き保存した後のマスク表２８を情報登録サーバ１４に送信する。
図６は、端末１２におけるマスク表２８の送信動作から情報登録サーバ１４におけるマスク表２８の記録動作までの一連の動作を示すフローチャートである。
【００５３】
まず、ステップＢ１において、端末１２は、設定終了後のマスク表２８を情報登録サーバ１４に送信する。
ここで、図７は、情報登録サーバ１４に送信される設定終了後のマスク表２８の一例を示す図である。
【００５４】
図７に示すマスク表２８は、図５に示すマスク表２８において、マスク情報レコード５０−３のマスク情報領域５２に記録される「なし」が「あり」に変更されたものを示している。なお、マスク情報が変更されたことをユーザに対して視覚的に確認させるため、マスク情報レコード５０−３のマスク情報領域７３に記録される「あり」を太字にしてもよいし、その他、文字を斜体や色変更などの強調をしてもよい。
【００５５】
このように、マスク表が設定されると、その設定後のマスク表２８を端末１２から情報登録サーバ１４に送信する。
また、図８は、情報登録サーバ１４に送信される設定終了後のマスク表２８の他の例を示す図である。なお、図８に示すマスク表８０は、図７に示すマスク表２８と同様に、図５に示すマスク表２８において、マスク情報レコード５０−３のマスク情報領域５２が「なし」から「あり」に変更されたマスク表２８に基づくものを示している。
【００５６】
図８に示すマスク表８０は、マスク情報が変更されたマスク情報レコード８１（８１−１）のみで構成されている。マスク情報レコード８１は、項目情報が記録される項目情報領域８２と、項目情報に対応する院内情報を情報登録サーバ１４に送信すべきか否かを示すマスク情報が記録されるマスク情報領域８３とを備えている。
【００５７】
図８の例では、マスク情報レコード８１−１の項目情報領域８２に「検査医」、マスク情報領域８３に「あり」と記録されている。
このように、マスク情報が変更したマスク情報レコード８１のみでマスク表８０を構成し、そのマスク表８０を端末１２から情報登録サーバ１４に送信するように構成してもよい。
【００５８】
次に、図６のステップＢ２において、情報登録サーバ１４は、設定終了後のマスク表２８を受信する。
次に、ステップＢ３において、情報登録サーバ１４は、今まで使用していた古いマスク表２８をリネームして旧マスク表３０として記録する。
【００５９】
次に、ステップＢ４において、情報登録サーバ１４は、端末１２から送信された設定終了後の新しいマスク表２８を新マスク表３１として記録する。
そして、ステップＢ５において、情報登録サーバ１４は、端末１２に対してマスク表２８の受信が完了したことを通知する。
【００６０】
このように、情報登録サーバ１４は、旧マスク表３０と新マスク表３１とを記録し、旧マスク表３０と新マスク表３１とを比較し、どのマスク情報が変更されたかを確認する。
そして、情報登録サーバ１４は、その変更されたマスク情報に対応する院内情報を端末１２に要求してデータベース管理端末１８に送信したり、変更されたマスク情報に対応する院内情報をデータベース管理端末１８のデータベースから削除する。
【００６１】
図９は、データベース管理端末１８が備えるデータベースの一例を示す図である。
図９に示すデータベース９０は、多数の院内情報レコード９１（９１−１、９１−２、９１−３、９１−４、９１−５、・・・）が格納されている。各院内情報レコード９１は、項目情報が記録される項目情報領域９２と、内視鏡検査機器２５や内視鏡検査機器２６で得られる検査内容が記録される検査内容領域９３（９３−１、９３−２、・・・）とを備えている。なお、検査内容領域９３は、端末１２から検査内容が送信される度に追加されるものであって、例えば、日付順に追加されてもよい。
【００６２】
図９に示す例では、院内情報レコード９１−３の項目情報領域９２に「検査医」が記録され、検査内容領域９３−１及び９３−２に検査内容が記録されている。なお、検査内容領域９３に示す「○」は、検査内容が記録されていることを示している。また、検査内容領域９３の「×」は、検査内容が記録されていないことを示している。また、情報保存サーバ１５が備えるデータベースは、図９に示すデータベース９０において、全ての検査内容領域９３に院内情報が記録されているものとする。
【００６３】
次に、登録情報管理手段１９が旧マスク表３０と新マスク表３１とを比較し、変更されたマスク情報に対応する院内情報をデータベース管理端末１８のデータベースから削除させる動作について説明する。
【００６４】
図１０は、変更されたマスク情報に対応する院内情報をデータベース管理端末１８のデータベースから削除させる場合の情報登録システム１０の動作を説明するためのフローチャートである。
【００６５】
まず、ステップＣ１において、登録情報管理手段１９は、記録されている旧マスク表３０と新マスク表３１とを読み取る。
次に、ステップＣ２において、登録情報管理手段１９は、旧マスク表３０と新マスク表３１とを比較する。
【００６６】
ここで、図１１は、旧マスク表３０と新マスク表３１とを比較するために旧マスク表３０と新マスク表３１とを合わせた際のマスク表の一例を示す図である。なお、図１１に示すマスク表は、図５に示すマスク表２８と図７に示すマスク表２８とが合わせられたマスク表を示している。
【００６７】
図１１に示すマスク表１１０は、多数のマスク情報レコード１１１（１１１−１、１１１−２、１１１−２、１１１−３、１１１−４、１１１−５、・・・）が格納されている。各マスク情報レコード１１１は、項目情報が記録される項目情報領域１１２と、旧マスク表３０のマスク情報が記録される旧マスク情報領域１１３と、新マスク表３１のマスク情報が記録される新マスク情報領域１１４とを備えている。
【００６８】
図１１に示す例では、マスク情報レコード１１１−３の項目情報領域１１２に「検査医」、旧マスク情報領域１１３に「なし」、新マスク情報領域１１４に「あり」と記録されている。
【００６９】
このように、登録情報管理手段１９は、あるマスク情報レコード１１１において、旧マスク情報領域１１３に記録されるマスク情報が「なし」、新マスク情報領域１１４に記録されるマスク情報が「あり」と記録されている場合、そのマスク情報レコード１１１の項目情報に対応する院内情報がデータベース管理端末１８のデータベースに記録できなくなったと判断する。
【００７０】
次に、図１０のステップＣ３において、登録情報管理手段１９は、変更を確認したマスク情報に対応する項目情報をデータベース管理端末１８のデータベースから検索する。
そして、ステップＣ４において、登録情報管理手段１９は、データベース管理端末１８のデータベースにおいて、検索した項目情報に対応する全ての検査内容領域のフィールド値をＮＵＬＬにする。
【００７１】
ここで、図１２は、変更されたマスク情報に対応する全ての検査内容領域をＮＵＬＬにするときのデータベース管理端末１８のデータベースの様子を示す図である。なお、図１２に示すデータベースは、図９に示すデータベース９０の一部を示している。
【００７２】
図１２に示すデータベース９０は、図１１に示すマスク表１１０における旧マスク表３０と新マスク表３１との比較結果、院内情報レコード９１−３に対応する全ての検査内容領域９３に記録される院内情報が削除されたことを示している。すなわち、図１２に示すデータベース９０は、検査内容領域９３−３に記録されるべき院内情報が端末１２から情報登録サーバ１４に送信される際、図５のマスク表２８のマスク情報レコード５０−３のマスク情報領域５２が「なし」から「あり」に変更され、そのときまでデータベース管理端末１８のデータベースの検査内容領域９３−１及び９３−２に記録されていた院内情報が削除されたことを示している。
【００７３】
これにより、マスク表２８が変更される前にデータベース管理端末１８のデータベースに記録された院内情報を削除することができる。
なお、データベース管理端末１８のデータベースにおいて、検索した項目情報に対応する全ての検査内容領域のフィールド値をＮＵＬＬにする代わりに、検索した項目情報に対応する全ての検査内容領域のフィールド値を参照不可となるように設定してもよい。
【００７４】
次に、登録情報管理手段１９が旧マスク表３０と新マスク表３１とを比較し、変更されたマスク情報に対応する院内情報をデータベース管理端末１８のデータベースに追加させる動作について説明する。
【００７５】
図１３は、変更されたマスク情報に対応する院内情報をデータベース管理端末１８のデータベースに追加記録する動作を説明するためのフローチャートである。
まず、ステップＤ１において、登録情報管理手段１９は、記録されている旧マスク表３０と新マスク表３１とを読み取る。
【００７６】
次に、ステップＤ２において、登録情報管理手段１９は、旧マスク表３０と新マスク表３１とを比較する。
ここで、図１４は、旧マスク表３０と新マスク表３１とを比較するために旧マスク表３０と新マスク表３１とを合わせた際のマスク表の一例を示す図である。
【００７７】
図１４に示すマスク表１４０は、多数のマスク情報レコード１４１（１４１−１、１４１−２、１４１−２、１４１−３、１４１−４、１４１−５、・・・）が格納されている。各マスク情報レコード１４１は、項目情報が記録される項目情報領域１４２と、旧マスク表３０のマスク情報が記録される旧マスク情報領域１４３と、新マスク表３１のマスク情報が記録される新マスク情報領域１４４とを備えている。
【００７８】
図１４に示す例では、マスク情報レコード１４１−２の項目情報領域１４２に「体重」、旧マスク情報領域１４３に「あり」、新マスク情報領域１４４に「なし」と記録されている。
【００７９】
このように、登録情報管理手段１９は、あるマスク情報レコード１４１において、旧マスク情報領域１４３に記録されるマスク情報が「あり」、新マスク情報領域１４４に記録されるマスク情報が「なし」と記録されている場合、そのマスク情報レコード１４１の項目情報に対応する院内情報がデータベース管理端末１８のデータベースに記録できるようになったと判断する。
【００８０】
次に、図１３のステップＤ３において、登録情報管理手段１９は、変更されたマスク情報に対応する不足分の院内情報を端末１２に要求する。なお、不足分の院内情報を端末１２に要求する際、その不足分の院内情報に対応する検査内容領域９３を要求してもよい。、また、登録情報管理手段１９は、図１４に示すように、旧マスク情報領域１４３に記録されるマスク情報が「あり」、新マスク情報領域１４４に記録されるマスク情報が「なし」と記録されているマスク情報レコード１４１全体をデータベース管理端末１８のデータベースから削除し、対応する新しいマスク情報レコード１４１全体を端末１２に要求してもよい。
【００８１】
次に、ステップＤ４において、端末１２は、情報登録サーバ１４から送信された要求に基づく院内情報（フィールド値）を情報保存サーバ１５のデータベースから抽出する。なお、このときの院内情報は、例えば、ＳＱＬ（Ｓｔｒｕｃｔｕｒｅｄ  Ｑｕｅｒｙ  Ｌａｎｇｕａｇｅ）やその他のデータベース制御言語により抽出されてもよい。
【００８２】
ここで、図１５は、情報保存サーバ１５のデータベースから抽出された院内情報のデータテーブルを示す図である。なお、図１５に示すデータテーブルは、「体重」の項目情報に対応する院内情報が記録されているものとする。
【００８３】
図１５に示すデータテーブル１５０は、不足分の院内情報が記録される不足分情報レコード１５１（１５１−１、１５１−２、１５１−３、・・・）が多数格納されて構成されている。各不足分情報レコード１５１は、検査内容が記録される検査内容領域１５２と、体重が記録される体重領域１５３とを備えている。
【００８４】
図１５に示す例では、不足分情報レコード１５１−１の検査内容領域１５２に「検査１」、体重領域１５３に「６８」と記録されている。
次に、図１３のステップＤ５において、端末１２は、抽出した院内情報を情報登録サーバ１４に送信する。
【００８５】
次に、ステップＤ６において、情報登録サーバ１４は、院内情報を受信する。
そして、ステップＤ７において、登録情報管理手段１９は、受信された院内情報をデータベース管理端末１８に送信し、データベース管理端末１８のデータベースに記録させる。
【００８６】
ここで、図１６は、受信された院内情報をデータベース管理端末１８のデータベースに追加記録するときの様子を示す図である。なお、図１６に示すデータベース９０は、図９に示すデータベース９０の一部を示している。
【００８７】
図１６に示すデータベース９０は、図１４に示すマスク表１４０における旧マスク表３０と新マスク表３１との比較結果、院内情報レコード９１−２に対応する全ての検査内容領域９３に院内情報が追加記録されたことを示している。すなわち、図１６に示すデータベース９０は、検査内容領域９３−３に記録されるべき院内情報が端末１２から情報登録サーバ１４に送信される際、図５のマスク表２８のマスク情報レコード５０−２のマスク情報領域５２が「あり」から「なし」に変更され、そのときまで情報保存サーバ１５のデータベースの検査内容領域９３−１及び９３−２に記録されていた院内情報がデータベース管理端末１８のデータベースに追加記録されたことを示している。
【００８８】
これにより、マスク表２８が変更される前に情報保存サーバ１５のデータベースに記録されていた院内情報をデータベース管理端末１８のデータベースに追加記録することができる。
【００８９】
このように、情報登録システム１０は、マスク情報が変更されると、マスク情報が変更される前に情報保存サーバ１５のデータベースに記録されていた過去分情報をデータベース管理端末１８のデータベースに記録するか、または、データベース管理端末１８のデータベースに記録される過去分情報が削除されるかのどちらか一方となるので、端末１２から情報登録サーバ１４に送信可能な院内情報と、実際にデータベース管理端末１８のデータベースに記録されている院内情報とを常に一致させることができる。
【００９０】
これにより、院内情報に対する法律が改正されたり、病院のポリシーが変更されたりしても、医療サービスなどのための解析を正しく行うことができる。また、情報登録システム全体を入れ替える必要がなくなり、情報登録システムを構築する際の手間やコストを抑えることができる。
【００９１】
なお、本発明は、上記実施形態に限定されるものではなく、特許請求の範囲において、種々の構成を採用可能である。例えば、以下のような構成変更も可能である。
＜第２実施形態＞
図１７は、情報登録システム１０を、病院の端末と外部施設の情報登録サーバとがネットワークを介して接続され構成される情報登録システムに適用した場合の他の実施形態を示す図である。なお、図２に示す構成と同じ構成には同じ符号を付している。
【００９２】
図１７に示す情報登録システム１７０において、図２に示す情報登録システム２０と異なる点は、端末１２の送信手段１７が、旧マスク表１７１と新マスク表１７２とを比較し、送信不可能から送信可能に変更された送信可能マスク情報が新マスク表１７２にあると、その送信可能マスク情報に対応する過去分院内情報及びその過去分院内情報をデータベース管理端末１８のデータベースに追加記録させる旨の追加指示を情報登録サーバ１４に送信し、送信可能から送信不可能に変更された送信不可能マスク情報が新マスク表１７２にあると、送信不可能マスク情報に対応する過去分院内情報をデータベース管理端末１８のデータベースから削除させる旨の削除指示を情報登録サーバ１４に送信する点と、情報登録サーバ１４の登録情報管理手段１９が、端末１２から追加指示が送信されると、データベース管理端末１８のデータベースに送信可能マスク情報に対応する過去分院内情報を追加記録させ、端末１２から削除指示が送信されると、送信不可能マスク情報に対応する過去分院内情報をデータベース管理端末１８のデータベースから削除させる点である。
【００９３】
まず、端末１２の動作について説明する。
図１８は、端末１２の動作を説明するためのフローチャートである。
まず、ステップＥ１において、端末１２は、ユーザの操作に基づいて、各項目と、項目に対応する院内情報を情報登録サーバ１４に送信すべきか否かを示すマスク情報とを関連付けてマスク表を設定する（マスク設定）。
【００９４】
次に、ステップＥ２において、端末１２は、今まで使用していた古いマスク表をリネームして旧マスク表１７１として記録する。
そして、ステップＥ３において、端末１２は、ステップＥ１で設定された新しいマスク表を新マスク表１７２として記録する。
【００９５】
次に、旧マスク表１７１と新マスク表１７２とが比較され、変更されたマスク情報が新マスク表１７２にある場合に、その変更されたマスク情報に対応する院内情報をデータベース管理端末１８のデータベースに追加記録させる動作について説明する。
【００９６】
図１９は、院内情報をデータベース管理端末１８のデータベースに追加記録させる場合の情報登録システム１７０の動作について説明するためのフローチャートである。
まず、ステップＦ１において、端末１２の送信手段１７は、記録されている旧マスク表１７１と新マスク表１７２とを読み取る。
【００９７】
次に、ステップＦ２において、端末１２の送信手段１７は、旧マスク表１７１と新マスク表１７２とを比較する。
次に、ステップＦ３において、端末１２の送信手段１７は、変更されたマスク情報に対応する院内情報を情報保存サーバ１５のデータベースから抽出する。なお、端末１２の送信手段１７は、変更されたマスク情報に対応する全ての院内情報のうちマスク情報が変更される前に情報保存サーバ１５のデータベースに記録されていた院内情報を情報保存サーバ１５のデータベースから抽出してもよい。また、院内情報は、例えば、ＳＱＬやその他のデータベース制御言語により抽出されてもよい。
【００９８】
次に、ステップＦ４において、端末１２の送信手段１７は、抽出した院内情報、院内情報をデータベース管理端末１８のデータベースに追加記録させる旨の追加指示、及びデータベースの記録先を情報登録サーバ１４に送信する。
【００９９】
そして、ステップＦ５において、情報登録サーバ１４の登録情報管理手段１９は、追加指示を受信すると、院内情報及びデータベースの記録先をデータベース管理端末１８に送信し、データベースの記録先に基づいて、院内情報をデータベース管理端末１８のデータベースに記録させる。
【０１００】
次に、端末１２が旧マスク表１７１と新マスク表１７２とを比較し、変更されたマスク情報に対応する院内情報をデータベース管理端末１８のデータベースから削除させる動作について説明する。
【０１０１】
図２０は、院内情報をデータベース管理端末１８のデータベースから削除させる場合の情報登録システム１７０の動作について説明するためのフローチャートである。
まず、ステップＧ１において、端末１２の送信手段１７は、記録されている旧マスク表１７１と新マスク表１７２とを読み取る。
【０１０２】
次に、ステップＧ２において、端末１２の送信手段１７は、旧マスク表１７１と新マスク表１７２とを比較する。
次に、ステップＧ３において、端末１２の送信手段１７は、変更されたマスク情報に対応する院内情報をデータベース管理端末１８のデータベースから削除すべき旨の削除指示を情報登録サーバ１４に送信する。
【０１０３】
そして、ステップＧ４において、情報登録サーバ１４の登録情報管理手段１９は、送信された削除指示に基づく院内情報をデータベース管理端末１８のデータベースから削除させる。なお、データベース管理端末１８のデータベースにおいて、変更されたマスク情報に対応する院内情報を削除する代わりに、変更されたマスク情報に対応する院内情報を参照不可となるように設定してもよい。
【０１０４】
この情報登録システム１７０のように、マスク情報が変更される前に情報保存サーバ１５のデータベースに記録された院内情報をデータベース管理端末１８のデータベースに記録すべきか否かの判断を端末１２側で行うようにしてもよい。
【０１０５】
＜第３実施形態＞
次に、情報登録システム１０を、病院の端末と外部施設の情報登録サーバとがネットワークを介して接続され構成される情報登録システムに適用した場合のさらに他の実施形態について説明する。
【０１０６】
この第３実施形態の情報登録システムが図２に示す情報登録システム１０と異なる点は、新旧マスク表を比較することなく、端末１２の送信手段１７が、情報保存サーバ１５のデータベースに記録される複数の院内情報のうちマスク情報が変更される前に情報保存サーバ１５のデータベースに記録された院内情報である過去分院内情報及びその過去分院内情報をデータベース管理端末１８のデータベースに追加記録させる旨の追加指示、または、データベース管理端末１８のデータベースに記録される過去分院内情報を削除させるための削除指示を送信する点と、登録情報管理手段１９が、端末１２から追加指示が送信されると、データベース管理端末１８のデータベースに過去分院内情報を記録させ、端末１２から削除指示が送信されると、データベース管理端末１８のデータベースに記録される過去分院内情報を削除させる点である。
【０１０７】
次に、第３実施形態の情報登録システムにおいて、変更されたマスク情報に対応する院内情報をデータベース管理端末１８のデータベースに追加記録させる動作について説明する。
【０１０８】
図２１は、院内情報をデータベース管理端末１８のデータベースに追加記録させる場合の情報登録システムの動作について説明するためのフローチャートである。
まず、ステップＨ１において、ユーザの操作により、各項目と項目に対応する院内情報を情報登録サーバ１４に送信すべきか否かを示すマスク情報とが関連付けられるマスク表において、あるマスク情報が変更される。
【０１０９】
次に、ステップＨ２において、端末１２は、変更されたマスク情報に対応する院内情報を情報保存サーバ１５のデータベースから抽出する。なお、端末１２は、変更されたマスク情報に対応する全ての院内情報のうちマスク情報が変更される前に情報保存サーバ１５のデータベースに記録されていた院内情報を情報保存サーバ１５から抽出してもよい。また、院内情報は、例えば、ＳＱＬやその他のデータベース制御言語により抽出されてもよい。
【０１１０】
次に、ステップＨ３において、端末１２は、抽出した院内情報、院内情報をデータベース管理端末１８のデータベースに追加記録させる旨の追加指示、及びデータベースの記録先（項目名）を情報登録サーバ１４に送信する。なお、端末１２は、抽出した院内情報、院内情報をデータベース管理端末１８のデータベースに追加記録させる旨の追加指示、及びデータベースの記録先（項目名）をリストにして情報登録サーバ１４に送信してもよい。
【０１１１】
次に、ステップＨ４において、情報登録サーバ１４は、端末１２から送信された院内情報、追加指示、及びデータベースの記録先を受信する。
そして、ステップＨ５において、情報登録サーバ１４の登録情報管理手段１９は、追加指示を受信すると、院内情報及びデータベースの記録先をデータベース管理端末１８に送信し、データベースの記録先に基づいて、院内情報をデータベース管理端末１８のデータベースに記録させる。
【０１１２】
次に、第３実施形態の情報登録システムにおいて、変更されたマスク情報に対応する院内情報をデータベース管理端末１８のデータベースから削除させる動作について説明する。
【０１１３】
図２２は、院内情報をデータベース管理端末１８のデータベースから削除させる場合の情報登録システムの動作について説明するためのフローチャートである。
まず、ステップＪ１において、ユーザの操作により、各項目と項目に対応する院内情報を情報登録サーバ１４に送信すべきか否かを示すマスク情報とが関連付けられるマスク表において、あるマスク情報が変更される。
【０１１４】
次に、ステップＪ２において、端末１２は、変更されたマスク情報に対応する院内情報をデータベース管理端末１８のデータベースから削除させる旨の削除指示を情報登録サーバ１４に送信する。
【０１１５】
そして、ステップＪ３において、情報登録サーバ１４の登録情報管理手段１９は、端末１２から送信された削除指示に基づく院内情報をデータベース管理端末１８のデータベースから削除させる。なお、データベース管理端末１８のデータベースにおいて、変更されたマスク情報に対応する院内情報を削除する代わりに、変更されたマスク情報に対応する院内情報を参照不可となるように設定してもよい。
【０１１６】
この第３実施形態の情報登録システムのように、新旧マスク表の比較結果によらずに、変更されたマスク情報に対応する院内情報をデータベース管理端末１８のデータベースに記録すべきか否かの判断を行うようにしてもよい。
【０１１７】
また、第１〜３実施形態において、端末１２及び情報登録サーバ１４にそれぞれ、項目情報と数字などの簡単な記号とが関連付けられて記録される対応表を備え、端末１２から情報登録サーバ１４に院内情報を送信する際、項目情報の代わりに上記簡単な記号を送信し、情報登録サーバ１４が上記対応表を参照するように構成してもよい。
【０１１８】
このように、院内情報を送信する際、項目情報の代わりに上記簡単な記号を送信することにより、送信時の情報量を少なくすることができる。
また、第１〜３実施形態において、データベース管理端末１８のデータベースに院内情報を追加記録した後、その旨を端末１２に返信してもよい。
【０１１９】
また、第１〜３実施形態において、データベース管理端末１８のデータベースから院内情報が削除された後、その旨を端末１２に返信してもよい。
また、上記第１〜３実施形態では、マスク表が変更されると、データベース管理端末１８のデータベースの内容を更新する構成であるが、所定時間経過毎に、現在使用しているマスク表とデータベース管理端末１８のデータベースの内容とを比較して、その比較結果に基づいてデータベース管理端末１８のデータベースの内容を更新してもよい。
【図面の簡単な説明】
【０１２０】
【図１】本発明の実施形態の情報登録システムを模式的に示す図である。
【図２】本発明の実施形態の情報登録システムを示す図である。
【図３】端末の動作を説明するためのフローチャートである。
【図４】端末のディスプレイなどに表示されるマスク設定ＧＵＩ画面の一例を示す図である。
【図５】端末に記録されるマスク表の一例を示す図である。
【図６】端末におけるマスク表の送信動作から情報登録サーバにおけるマスク表の記録動作までの一連の動作を示すフローチャートである。
【図７】マスク情報変更後のマスク表の一例を示す図である。
【図８】マスク情報変更後のマスク表の他の例を示す図である。
【図９】データベース管理端末が備えるデータベースの一例を示す図である。
【図１０】変更後のマスク情報に対応する院内情報をデータベース管理端末のデータベースから削除させる場合の情報登録システムの動作を示すフローチャートである。
【図１１】旧マスク表と新マスク表とを合わせた際のマスク表の一例を示す図である。
【図１２】変更されたマスク情報に対応する全ての検査内容領域をＮＵＬＬにするときのデータベースの様子を示す図である。
【図１３】変更されたマスク情報に対応する院内情報をデータベースに追加記録する動作を説明するためのフローチャートである。
【図１４】旧マスク表と新マスク表とを合わせた際のマスク表の一例を示す図である。
【図１５】情報保存サーバのデータベースから抽出された院内情報のデータテーブルを示す図である。
【図１６】不足分の院内情報をデータベースに追加記録するときの様子を示す図である。
【図１７】本発明の他の実施形態の情報登録システムを示す図である。
【図１８】端末の動作を説明するためのフローチャートである。
【図１９】院内情報をデータベースに追加記録させる場合の情報登録システムの動作について説明するためのフローチャートである。
【図２０】院内情報をデータベースから削除させる場合の情報登録システムの動作について説明するためのフローチャートである。
【図２１】院内情報をデータベースに追加記録させる場合の情報登録システムの動作について説明するためのフローチャートである。
【図２２】院内情報をデータベースから削除させる場合の情報登録システムの動作について説明するためのフローチャートである。
【符号の説明】
【０１２１】
１０      情報登録システム
１１      情報送信元施設
１２      端末
１３      外部施設
１４      情報登録サーバ
１５      情報保存サーバ
１６      マスク設定手段
１７      送信手段
１８      データベース
１９      登録情報管理手段
２０      情報登録システム
２１      病院
２２      外部施設
２３      ネットワーク
２４      ネットワーク
２５      内視鏡検査機器
２６      内視鏡検査機器
２７      ＰＣクライアント
２８      マスク表
２９      ネットワーク
３０      旧マスク表
３１      新マスク表
１７０      情報登録システム
１７１      旧マスク表
１７２      新マスク表
【図１】
2006059286.tif 000003
【図２】
2006059286.tif 000004
【図３】
2006059286.tif 000005
【図４】
2006059286.tif 000006
【図５】
2006059286.tif 000007
【図６】
2006059286.tif 000008
【図７】
2006059286.tif 000009
【図８】
2006059286.tif 000010
【図９】
2006059286.tif 000011
【図１０】
2006059286.tif 000012
【図１１】
2006059286.tif 000013
【図１２】
2006059286.tif 000014
【図１３】
2006059286.tif 000015
【図１４】
2006059286.tif 000016
【図１５】
2006059286.tif 000017
【図１６】
2006059286.tif 000018
【図１７】
2006059286.tif 000019
【図１８】
2006059286.tif 000020
【図１９】
2006059286.tif 000021
【図２０】
2006059286.tif 000022
【図２１】
2006059286.tif 000023
【図２２】
2006059286.tif 000024